(57)【要約】【課題】維持電極に接続するＦＰＣを削減しても前面基板に大きな温度勾配を生じることのないプラズマディスプレイパネルを提供する。【解決手段】複数の走査電極２２および複数の維持電極２３を形成した前面基板２１と、複数のデータ電極を形成した背面基板とを対向配置したプラズマディスプレイパネルであって、複数の維持電極２３を電気的に短絡する短絡線５６と、短絡線５６に電気的に接続され短絡線５６と平行であって短絡線５６よりも幅の狭い複数の補助短絡線５７と、短絡線５６に電気的に接続され複数の電極端子群５４ａ〜５４ｅにグルーピングされた複数の電極端子５３とを前面基板２１上にさらに形成した。【選択図】図３Ａ
2011100596.tif 000002
【特許請求の範囲】
【請求項１】
複数の走査電極および複数の維持電極を形成した前面基板と、複数のデータ電極を形成した背面基板とを対向配置したプラズマディスプレイパネルであって、
複数の前記維持電極を電気的に短絡する短絡線と、前記短絡線に電気的に接続され前記短絡線と平行であって前記短絡線よりも幅の狭い複数の補助短絡線と、前記短絡線に電気的に接続され複数の電極端子群にグルーピングされた複数の電極端子とを前記前面基板上に形成したことを特徴とするプラズマディスプレイパネル。
【請求項２】
前記前面基板上に形成された前記電極端子群の間に網目状の熱伝導部を形成したことを特徴とする請求項１に記載のプラズマディスプレイパネル。
【請求項３】
前記短絡線を覆うように封着フリットを塗布して、前記前面基板と前記背面基板とを封着したことを特徴とする請求項１に記載のプラズマディスプレイパネル。
【請求項４】
前記短絡線を覆うように前記前面基板上に誘電体層を形成し、
前記誘電体層で覆われた前記短絡線を覆うように封着フリットを塗布して、前記前面基板と前記背面基板とを封着したことを特徴とする請求項１に記載のプラズマディスプレイパネル。
【発明の詳細な説明】
【技術分野】
【０００１】
本発明は、フラットディスプレイに用いられるプラズマディスプレイパネルに関する。
【背景技術】
【０００２】
フラットディスプレイとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面板と背面板との間に多数の放電セルが形成されている。前面板は、１対の走査電極と維持電極とからなる表示電極対がガラス製の前面基板上に互いに平行に複数対形成されている。背面板は、ガラス製の背面基板上に複数の平行なデータ電極が形成され、さらに隔壁と蛍光体層が形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
プラズマディスプレイ装置は、走査電極および維持電極にフレキシブル配線基板（以下、「ＦＰＣ」と略記する）を介して維持パルスを交互に印加して放電セル内で放電を発生させて発光させることにより画像を表示している。
【０００５】
このとき、放電セルが発光する際に発熱しパネルの温度が上昇する。またＦＰＣからパネルの電極端子を経て放電セルにいたるまでの電流経路のインピーダンスも発熱の要因となっている。一般に放電セルの放電特性は温度の影響を受けて変化するため、パネルの温度が上がりすぎると放電が不安定となり、画像表示品質が劣化することがある。またパネルの温度が局部的に極端に上昇するとパネルの破損につながるおそれもある。
【０００６】
そのため、パネルの温度を抑えるさまざまな方法が提案されてきた。例えば特許文献１には、シリコン系樹脂等からなる熱伝導シートを介してパネルをシャーシに取り付けることにより、パネルで発生した熱をシャーシに効率よく伝導して、パネルの温度上昇を抑える方法が開示されている。
【０００７】
また、特許文献２には、複数の維持電極を電気的に短絡する短絡配線を背面基板上に設けて電流経路のインピーダンスを下げ、電流経路の発熱を抑えるとともに、パネルの短絡配線を設けた領域とシャーシとの間に熱伝導シートを介在させ、短絡配線およびその周辺で発生した熱をシャーシに効率よく伝導して、パネルの温度上昇を抑える方法も開示されている。
【先行技術文献】
【特許文献】
【０００８】
【特許文献１】特開平１０−２５４３７２号公報
【特許文献２】特開２００８−８３１３５号公報
【発明の概要】
【発明が解決しようとする課題】
【０００９】
近年はコストダウンの要求にこたえるため、高額部品を削減するためのさまざまな検討がなされている。この中で、維持電極には同一の駆動電圧波形が印加されるため、パネルの維持電極に駆動電圧を供給するＦＰＣは削減の有力候補となっている。しかしながら、パネルの大画面化、高輝度化にともない維持放電にともなう電流は大きくなってきている。そのため単純にＦＰＣの数を削減すると、ＦＰＣが接続されている維持電極側の電極端子付近に電流集中が発生し、この部分で局部的に温度が上昇する、いわゆるヒートスポットが発生する。そしてヒートスポットの発生により前面基板に大きな温度勾配が発生するとパネルを破損させるおそれがあった。
【００１０】
本発明はこのような課題に鑑みなされたものであり、維持電極に接続するＦＰＣを削減しても前面基板に大きな温度勾配を生じることのないパネルを提供することを目的とする。
【課題を解決するための手段】
【００１１】
上記目的を達成するために本発明のパネルは、複数の走査電極および複数の維持電極を形成した前面基板と、複数のデータ電極を形成した背面基板とを対向配置したパネルであって、複数の維持電極を電気的に短絡する短絡線と、短絡線に電気的に接続され短絡線と平行であって短絡線よりも幅の狭い複数の補助短絡線と、短絡線に電気的に接続され複数の電極端子群にグルーピングされた複数の電極端子とを前面基板上にさらに形成したことを特徴とする。この構成により、維持電極に接続するＦＰＣを削減しても前面基板に大きな温度勾配を生じることのないパネルを提供することができる。
【００１２】
また本発明のパネルは、前面基板上に形成された電極端子群の間に網目状の熱伝導部を形成した構成であってもよい。この構成により、さらに前面基板の温度勾配を抑制することができる。
【００１３】
また本発明のパネルは、短絡線を覆うように封着フリットを塗布して、前面基板と背面基板とを封着した構成であってもよい。この構成により、接着力および気密性を高めることができる。
【００１４】
また本発明のパネルは、短絡線を覆うように前面基板上に誘電体層を形成し、誘電体層で覆われた短絡線を覆うように封着フリットを塗布して、前面基板と背面基板とを封着した構成であってもよい。この構成により、接着力および気密性をさらに高めることができる。
【発明の効果】
【００１５】
本発明によれば、維持電極に接続するＦＰＣを削減しても前面基板に大きな温度勾配を生じることのないパネルを提供することが可能となる。
【図面の簡単な説明】
【００１６】
【図１】本発明の実施の形態１におけるパネルの構造を示す分解斜視図である。
【図２】同パネルの電極配列図である。
【図３Ａ】同パネルの前面板の表示電極対および対応する電極端子の配置を示す模式図である。
【図３Ｂ】同パネルの前面板の表示電極対および対応する電極端子の配置を示す模式図の拡大図である。
【図４Ａ】同パネルの温度分布を測定する際のＦＰＣの接続の様子を示す模式図である。
【図４Ｂ】従来のパネルの温度分布を測定する際のＦＰＣの接続の様子を示す模式図である。
【図５Ａ】本発明の実施の形態１におけるパネルの短絡線、電極端子、補助短絡線の詳細を示す拡大図である。
【図５Ｂ】同パネルの断面図であり、図５ＡのＢ−Ｂ断面を示す図である。
【図６Ａ】同パネルの前面板の製造方法を説明するための図である。
【図６Ｂ】同パネルの前面板の製造方法を説明するための図である。
【図６Ｃ】同パネルの前面板の製造方法を説明するための図である。
【図６Ｄ】同パネルの前面板の製造方法を説明するための図である。
【図７Ａ】本発明の実施の形態２におけるパネルの短絡線、電極端子、補助短絡線の詳細を示す拡大図である。
【図７Ｂ】同パネルの断面図であり、図７ＡのＢ−Ｂ断面を示す図である。
【発明を実施するための形態】
【００１７】
以下、本発明の実施の形態におけるパネルについて、図面を用いて説明する。
【００１８】
（実施の形態１）
図１は本発明の実施の形態１におけるパネル１０の構造を示す分解斜視図である。パネル１０は、前面板２０と背面板３０とを対向配置し、その間に多数の放電セルが形成されている。
【００１９】
前面板２０は、１対の走査電極２２と維持電極２３とからなる表示電極対２４がガラス製の前面基板２１上に互いに平行に複数対形成され、それら表示電極対２４を覆うように誘電体層２５が形成され、誘電体層２５上に保護層２６が形成されている。走査電極２２は、透明電極２２ａとバス電極２２ｂとを有する。維持電極２３も同様に、透明電極２３ａとバス電極２３ｂとを有する。透明電極２２ａ、２３ａは、前面基板２１上にＩＴＯ、ＳｎＯ２、ＺｎＯ等の導電性金属酸化物を帯状に形成したものである。バス電極２２ｂ、２３ｂは、酸化ルテニウムを主成分とする黒色層を上述の透明電極２２ａ、２３ａのそれぞれの上にその透明電極よりも幅を狭く積層して形成し、さらにその上にＡｇを含む導電層を形成したものである。
【００２０】
背面板３０は、ガラス製の背面基板３１上に複数の平行なデータ電極３２が形成されている。このデータ電極３２は、Ａｇを主成分とする導電性材料で形成されている。そして、データ電極３２を覆うように誘電体層３３が形成され、さらにその上に井桁状の隔壁３４が形成され、誘電体層３３の表面と隔壁３４の側面とに赤、緑、青の各色に発光する蛍光体層３５が形成されている。
【００２１】
そして、表示電極対２４とデータ電極３２とが立体交差するように前面板２０と背面板３０とが対向配置されて密封され、内部の放電空間には放電ガスが封入されている。ここで表示電極対２４とデータ電極３２とが対向する部分に放電セルが形成される。
【００２２】
図２は本発明の実施の形態１におけるパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。このｍ×ｎ個の放電セルが形成された領域は画像表示領域であり、前面基板２１側の画像表示領域に画像が表示される。
【００２３】
走査電極２２および維持電極２３の数は、パネル１０がフルハイビジョン仕様の５０吋パネルであれば、例えばｎ＝１０８０本である。そしてこれらの電極のそれぞれは、前面板２０、背面板３０の画像表示領域の外側であってパネル１０の周辺部に設けられた電極端子のそれぞれに接続されている。
【００２４】
図３Ａは、本発明の実施の形態１におけるパネル１０の前面板２０の表示電極対２４および対応する電極端子４２、５３の配置を示す模式図であり、図３Ｂは、図３Ａの破線Ａで囲んだ部分の拡大図である。
【００２５】
走査電極２２には、それぞれ異なった駆動電圧を印加する必要がある。そのために走査電極２２のそれぞれは、引出し線４１によって、画像表示領域外の右側の周辺部に設けられた走査電極用の電極端子４２のそれぞれに接続されている。そしてＦＰＣ６２を接続するために、それぞれ複数本ずつグルーピングされて配置されている。図３Ａには４８本の走査電極２２と、８本ずつ６つの電極端子群４４にグルーピングされた４８本の走査電極用の電極端子４２とを示しているが、これらの数は図を見やすくするためのものである。本実施の形態においては、例えば走査電極２２は１０８０本であり、走査電極用の電極端子４２は１０８本ずつ１０個の電極端子群４４にグルーピングされている。そして、それぞれの電極端子群に１枚ずつ、合計１０枚のＦＰＣ６２が接続される。
【００２６】
一方、維持電極２３のそれぞれには同一の駆動電圧を印加すればよいので、維持電極２３のそれぞれは維持電極２３を電気的に短絡する短絡線５６に接続されている。そして短絡線５６にＦＰＣ６３を接続するために、維持電極用の電極端子５３が複数の電極端子群５４にグルーピングされ画像表示領域外の左側周辺部に設けられている。
【００２７】
維持電極２３のそれぞれは電気的に短絡されているために、維持電極用の電極端子５３の数、ＦＰＣ６３の数およびその取り付け位置には任意性がある。図３Ａには４８本の維持電極２３と、８本ずつ５つの電極端子群５４ａ〜５４ｅにグルーピングされた４０本の電極端子５３と、上下の電極端子群５４ａ、５４ｅを除く３つの電極端子群５４ｂ〜５４ｄに接続される合計３枚のＦＰＣ６３ｂ〜６３ｄを示しているが、これらは図を見やすくするためのものである。本実施の形態においては、例えば維持電極用の電極端子は６４本ずつ８個の電極端子群にグルーピングされており、このうちの４つの電極端子群のそれぞれに１枚づつ、合計４枚のＦＰＣ６３が接続されている。このようにＦＰＣ６３の数およびその取り付け位置には任意性があるが、コストダウンの観点から、ＦＰＣ６３の数を可能な限り削減することが望ましい。
【００２８】
ＦＰＣ６３の数は主に電流容量、ジュール熱による発熱とそれにより生じる前面基板２１の温度差により制限される。特に、ＦＰＣ６３が接続されている電極端子５３付近にはヒートスポットが発生しやすく、この部分の前面基板２１の温度差が最も大きくなりやすい。本実施の形態においてはこの温度差を抑制するために、複数の維持電極２３を電気的に短絡する補助短絡線５７が短絡線５６と平行に複数設けられており、加えて網目状の熱伝導部５８が維持電極用の電極端子群５４ａ〜５４ｅのそれぞれの間に設けられている。補助短絡線５７は、維持電極用の電極端子５３から各放電セルにいたる電流経路のインピーダンスを下げるとともに、電流経路を分散させることにより電流集中を抑制してヒートスポットの発生を抑制する。熱伝導部５８は、熱伝導率を高めてＦＰＣ６３が接続されている維持電極用の電極端子５３付近を均熱化することにより温度勾配を減少させる。
【００２９】
本発明者らは、本実施の形態におけるパネル１０の補助短絡線５７、熱伝導部５８の効果を確認するために、本実施の形態におけるパネル１０の前面基板２１の温度分布を測定した。図４Ａは、本発明の実施の形態１におけるパネル１０の温度分布を測定する際のＦＰＣの接続の様子を示す模式図である。測定は、走査電極２２、維持電極２３が水平になるようにパネル１０を垂直に立てて行った。パネル１０の上部に位置する電極端子群５４ａ、５４ｂにはＦＰＣを接続せず、それ以外の電極端子群５４ｃ〜５４ｅにＦＰＣ６３ｃ〜６３ｅを接続して、表示画面全体を通常の２倍の輝度で発光させ、そのときの前面基板２１の温度分布を、サーモグラフを用いて測定した。比較のために、従来のパネル１１０についても同様の測定を行った。図４Ｂは、補助短絡線および熱伝導部を有さない従来のパネル１１０の温度分布を測定する際のＦＰＣの接続の様子を示す模式図である。従来のパネル１１０においても、上部に位置する電極端子群１５４ａ、１５４ｂにＦＰＣを接続せず、それ以外の電極端子群１５４ｃ〜１５４ｅにＦＰＣ１６３ｃ〜１６３ｅを接続して、表示画面全体を通常の２倍の輝度で発光させ、そのときの前面基板の温度分布を、サーモグラフを用いて測定した。
【００３０】
従来のパネル１１０においては、図４Ｂに示したＦ点にヒートスポットが発生し温度８５．５℃で飽和した。一方、図４Ｂに示したＥ点の温度は極小となり温度７７．２℃で飽和した。そしてＦ点−Ｅ点間の温度勾配が最も大きくなった。これは、表示画面の上部に位置する維持電極を流れる電流が主に短絡線１５６および電極端子群１５４ｃを介してＦＰＣ１６３ｃに流れるので、図４Ｂに示した短絡線１５６のＦ点付近の電流が極大となりＦ点にヒートスポットが発生したと考えられる。また、ガラスの熱伝導率は小さいため、電極端子群１５４ｂと電極端子群１５４ｃとに挟まれたＥ点の温度が極小となったと考えられる。
【００３１】
一方、本実施の形態におけるパネル１０においても従来のパネル１１０のＦ点に対応する位置であるＤ点にヒートスポットが発生し、Ｃ点の温度が極小となった。しかしパネル１０においては、Ｄ点の飽和温度は８４．６℃でありＦ点の温度より低く、Ｃ点の飽和温度は８０．３℃でありＥ点の温度より高かった。したがってその間の温度勾配は従来のパネル１１０における温度勾配より小さく、従来のパネル１１０のおよそ半分であった。
【００３２】
これは、補助短絡線５７を設けたことにより電流が分散され、短絡線５６への電流集中が緩和されてＤ点の温度が低下したことと、Ｃ点の近くに設けた補助短絡線５７の温度が上昇してＣ点の温度が上昇したことと、熱伝導部５８を設けたことによりＣ点の近傍の熱伝導率が上昇してＣ点の温度が上昇したためであると考えられる。
【００３３】
このように本実施の形態におけるパネル１０は、複数の維持電極２３を電気的に短絡する短絡線５６と、短絡線５６に電気的に接続され、短絡線５６と平行であって短絡線５６よりも幅の狭い複数の補助短絡線５７と、短絡線５６に電気的に接続され、複数の電極端子群５４ａ〜５４ｅにグルーピングされた複数の電極端子５３とを前面基板２１上に形成している。また前面基板２１上に形成された電極端子群５４ａ〜５４ｅの間に網目状の熱伝導部５８を形成している。そして、補助短絡線５７を設けることによりヒートスポットの温度を下げることができ、また熱伝導部５８を設けることによりヒートスポット周辺の温度を上昇させることができる。したがって補助短絡線５７を設けることにより、または熱伝導部５８を設けることにより、あるいはその両方を設けることにより前面基板２１の温度差を抑制することができるので、パネルの割れ等のおそれがなくＦＰＣ６３の数を削減することができる。
【００３４】
図５Ａは、本発明の実施の形態１におけるパネル１０の短絡線５６、電極端子５３、補助短絡線５７の詳細を示す拡大図であり、前面基板２１上の電極端子５３およびその周辺を上面から見た図である。また図５Ｂは、本発明の実施の形態１におけるパネル１０の断面図であり、図５ＡのＢ−Ｂ断面を示す図である。なお図５Ｂには背面基板３１、および前面基板２１と背面基板３１とを密封する封着フリット３９も示している。
【００３５】
上述したように、維持電極２３のバス電極２３ｂは黒色層２３ｃと導電層２３ｄとを積層して形成されている。本実施の形態においては、電極端子５３のそれぞれも黒色層５３ｃと導電層５３ｄとを積層して形成されている。また短絡線５６も黒色層５６ｃと導電層５６ｄとを積層して形成され、補助短絡線５７も黒色層５７ｃと導電層５７ｄとを積層して形成され、熱伝導部５８も同様に黒色層と導電層とを積層して形成されている。しかし本発明はこれに限定されるものではなく、例えば、電極端子５３が導電層５３ｄのみから形成されている等の構成であってもよい。
【００３６】
短絡線５６は、インピーダンスを下げるために幅の広いパターンとして形成されている。そして短絡線５６を形成してもパネル１０の周辺部の面積が大きくならないように、短絡線５６と重なる位置に封着フリット３９を塗布し前面基板２１と背面基板３１とを密封している。
【００３７】
ここで、封着フリット３９は、前面基板２１と背面基板３１とを接着するとともに気密性も確保しなければならない。しかしながら黒色層や導電層とガラス製の前面基板２１との密着力は弱いため、黒色層や導電層の上に封着フリット３９を塗布して前面基板２１と背面基板３１とを接着した場合、この部分で剥離が発生する可能性がある。そこで本実施の形態においては、短絡線５６を覆うように封着フリット３９を形成して前面基板２１と背面基板３１とを封着し、封着フリット３９の内周側および外周側で前面基板２１のガラス表面と封着フリット３９とが接触する面積を確保することにより接着力および気密性を高めている。
【００３８】
また短絡線５６の線幅Ｗ１は封着フリット３９の接着幅Ｗ２よりも狭く設計しなければならず、短絡線５６そのもののインピーダンスがある程度高くなる可能性があるが、本実施の形態においては短絡線５６に平行して補助短絡線５７を設けて、電流経路のインピーダンスを低下させている。また補助短絡線５７を設けることにより、電流経路を分散させることができ、電流集中を抑制してヒートスポットの発生を抑えている。
【００３９】
本実施の形態においては短絡線５６の線幅Ｗ１は１２ｍｍ、補助短絡線５７は線幅Ｗ３が０．３ｍｍであり、補助短絡線５７が０．６ｍｍのピッチで４本配列されている。
【００４０】
次に前面板２０の製造方法を、維持電極用の電極端子５３を中心に説明する。図６Ａ〜図６Ｄは、本発明の実施の形態１におけるパネル１０の前面板２０の製造方法を説明するための図である。
【００４１】
まず、蒸着法またはスパッタリング法等の公知技術を用いて、厚さ約１．８ｍｍの前面基板２１の表面上に、厚さ約１２００ÅのＩＴＯ（Ｉｎｄｉｕｍ  Ｔｉｎ  Ｏｘｉｄｅ）またはＳｎＯ２等の導電体材料を帯状に複数列形成することにより透明電極２３ａを形成する（図６Ａ）。
【００４２】
次に、スクリーン印刷法、フォトリソグラフィー法等の公知技術を用いて、この透明電極２３ａ上に酸化ルテニウムを主成分とする黒色層２３ｃの前駆体を形成する。このとき、電極端子５３の黒色層５３ｃの前駆体、短絡線５６の黒色層５６ｃの前駆体、補助短絡線５７の黒色層５７ｃの前駆体、熱伝導部５８の黒色層の前駆体も同時に形成する。そしてその上に、スクリーン印刷法、フォトリソグラフィー法等を用いてＡｇからなる導電層２３ｄの前駆体を形成する。このとき、電極端子５３の導電層５３ｄの前駆体、短絡線５６の導電層５６ｄの前駆体、補助短絡線５７の導電層５７ｄの前駆体、熱伝導部５８の導電層の前駆体も同時に形成する（図６Ｂ）。
【００４３】
このような前駆体が形成された前面基板２１を、ピーク温度５５０℃〜６００℃で焼成することにより、それぞれの黒色層および導電層の前駆体が焼結され、維持電極２３、電極端子５３、短絡線５６、補助短絡線５７、熱伝導部５８が形成される（図６Ｃ）。
【００４４】
そして、維持電極２３が形成された前面基板２１上に印刷法等の公知技術により誘電体層２５の前駆体を形成する。この誘電体層２５の前駆体を焼結することによって誘電体層２５が形成される。さらにその上に、スパッタリング法等の公知技術により酸化マグネシウムの保護層２６が形成される（図６Ｄ）。
【００４５】
以上のようにして、本実施の形態における補助短絡線５７および熱伝導部５８を有するパネル１０を作成することができる。
【００４６】
（実施の形態２）
実施の形態２におけるパネル１２は、実施の形態１におけるパネル１０と同様に、補助短絡線５７および熱伝導部５８を有する。図７Ａは、本発明の実施の形態２におけるパネル１２の短絡線５６、電極端子５３、補助短絡線５７の詳細を示す拡大図であり、前面板２０の維持電極用の電極端子５３およびその周辺を上面から見た図である。また図７Ｂは、本発明の実施の形態２におけるパネル１２の断面図であり、図７ＡのＢ−Ｂ断面を示す図である。なお図７Ｂには背面基板３１、および前面基板２１と背面基板３１とを密封する封着フリット３９も示している。
【００４７】
実施の形態２におけるパネル１２が実施の形態１におけるパネル１０と異なる点は、短絡線５６を覆うように誘電体層２５を形成し、誘電体層２５で覆われた短絡線５６を覆うように封着フリット３９を形成した点である。このように実施の形態２においては、短絡線５６を覆うように前面基板２１上に誘電体層２５を形成し、誘電体層２５で覆われた短絡線５６を覆うように封着フリット３９を塗布して、前面基板２１と背面基板３１とを封着している。この構成とすることで、封着フリット３９は剥離が発生しやすい短絡線５６と直接接することなく、密着性のよい誘電体層２５と接することになるので、接着性および気密性を保つ上で有利である。
【００４８】
なお、実施の形態１、２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００４９】
本発明は、大画面のパネルであっても、パネルの局部的な温度上昇を抑制し、パネルを破損する恐れがなく、パネルを用いたプラズマディスプレイ装置として有用である。
【符号の説明】
【００５０】
１０，１２，１１０    パネル
２０    前面板
２１    前面基板
２２    走査電極
２２ａ，２３ａ    透明電極
２２ｂ，２３ｂ    バス電極
２３    維持電極
２３ｃ，５３ｃ，５６ｃ，５７ｃ    黒色層
２３ｄ，５３ｄ，５６ｄ，５７ｄ    導電層
２４    表示電極対
２５，３３    誘電体層
２６    保護層
３０    背面板
３１    背面基板
３２    データ電極
３４    隔壁
３５    蛍光体層
３９    封着フリット
４１    引出し線
４２，５３    電極端子
４４，５４，５４ａ，５４ｂ，５４ｃ，５４ｄ，５４ｅ，１５４ａ，１５４ｂ，１５４ｃ，１５４ｄ，１５４ｅ    電極端子群
５６，１５６    短絡線
５７    補助短絡線
５８    熱伝導部
６２，６３，６３ｂ，６３ｃ，６３ｄ，６３ｅ，１６３ｃ，１６３ｄ，１６３ｅ    ＦＰＣ
【図１】
2011100596.tif 000003
【図２】
2011100596.tif 000004
【図３Ａ】
2011100596.tif 000005
【図３Ｂ】
2011100596.tif 000006
【図４Ａ】
2011100596.tif 000007
【図４Ｂ】
2011100596.tif 000008
【図５Ａ】
2011100596.tif 000009
【図５Ｂ】
2011100596.tif 000010
【図６Ａ】
2011100596.tif 000011
【図６Ｂ】
2011100596.tif 000012
【図６Ｃ】
2011100596.tif 000013
【図６Ｄ】
2011100596.tif 000014
【図７Ａ】
2011100596.tif 000015
【図７Ｂ】
2011100596.tif 000016